【事件の表示】
　平成１１年特許願第２４５８５７号「櫛付きキャップ」拒絶査定不服審判事件〔平成１３年３月１３日出願公開、特開２００１−６１５３８号〕について、次のとおり審決する。
【結　論】
　本件審判の請求は、成り立たない。
【理　由】
１．手続の経緯・本願発明
　本願は、平成１１年８月３１日の出願であって、その請求項１，２に係る発明は、願書に最初に添付した明細書及び図面の記載からみて、特許請求の範囲の請求項１，２に記載された事項により特定されるとおりのものと認められるところ、その請求項１に係る発明（以下、「本願発明」という。）は、次のとおりである。
　
「スクイズ性を有する容器体(24)の口筒部(26)に密に組付く組付き筒(3)の上端に、内鍔状の頂壁(4)を介して前後に偏平な起立筒(7)を立設し、該起立筒(7)の上端を塞ぐ頂板(8)に、上下に貫通した複数の組付け孔(9)を、左右方向に沿って等間隔に直列配置し、さらに前記頂板(8)の左右両端に枠櫛歯片(10)を立設したキャップ本体(2)と、前記頂板(8)上に載置するベース板(12)の下面に、前記各組付け孔(9)に個々に強固に密嵌入する嵌着筒片(14)を垂下設すると共に、該各嵌着筒片(14)の直上となる前記ベース板(12)上面箇所に櫛歯片(13)を起立設し、該櫛歯片(13)と嵌着筒片(14)との各組合せ部分内に、前記櫛歯片(13)の上端部から嵌着筒片(14)の下端面にかけて、前記櫛歯片(13)の上端部左右側面に注出口(16)を開口した注出路(15)を形成した櫛歯体(11)と、前記全櫛歯片(13)の集合体を着脱自在に外嵌して覆い、内部上端部に、前記各櫛歯片(13)の上端部が摺接して嵌入する間隙を形成して多数の挟持壁片(21)を左右に縦列配置して設け、該各挟持壁片(21)の前記櫛歯片(13)に対向する側の面に、前記注出口(16)に係合して密閉する栓突片(22)を突設したシールキャップ体(17)と、から成る櫛付きキャップ。」
　
２．引用例
　これに対して、原査定の拒絶の理由に引用した特開平１０−３２４３４０号公報（以下、「引用例１」という。）には、図面とともに次の事項が記載されている。
（ア）「二液収納容器２及び櫛形吐出具３とからなり、二液収納容器２は、内部を第１の液収納部Ａとした圧搾可能な筒状胴部８上端より口頚部９を起立してなる容器体４と、前記口頚部９内周面に外周下部を液密嵌合した上下端面開口の筒壁10外周下部よりフランジ11を介して二重筒状に垂設した嵌合筒12を口頚部９外周に嵌合させた筒状部材５と、前記筒壁10内周面下端部に底板13の周縁部を嵌合させてその上方に第２の液収納部Ｂを画成するとともに、底板13上面中央より上方へ押圧力伝達板14を起立してなる底板部材６と、前記筒壁10外周上部に螺着させた周壁16上端縁より頂壁17を延設させたキャップ７とから構成し、前記櫛形吐出具３は、前記筒壁10外周上端部に螺着可能な装着筒19上端縁より延設した頂板20に下端を開口して上端閉塞の注出筒21を立設するとともに、注出筒21の前面より多数突設した各櫛歯22内を貫通してその前部と注出筒21内をそれぞれ連通する通液路ａを設け、且つ、頂板裏面より押圧片23を垂設して構成し、キャップ７を外した二液収納容器２に櫛形吐出具３を螺着させた際に、押圧片23が押圧力伝達板14を押し下げて底板部材６が第１の液収納部Ａ内へ落下する如く構成したことを特徴とするヘアカラー容器。」（特許請求の範囲請求項１）
（イ）「本実施例では櫛形吐出具３を三部材で構成するとともに、その頂板20下面周縁部より筒壁10内周面上端部に嵌合させるシール筒24を垂設している。」（段落【００１１】）
（ウ）「本実施例では、櫛形吐出具３の各櫛歯22を被覆して着脱自在にカバー25を設けている。このカバー25を設けることにより、混合した二剤を充分攪拌するために容器を振った際に、通液路ａ先端からの液の漏出を防止できる。」（段落【００１１】）
（エ）「上記の如く構成した容器１を使用する場合には、先ず、二液収納容器２のキャップ７を外し、次いで櫛形吐出具３の装着筒19を筒壁10外周上端部に螺着させれば良い。この際、回動下降する押圧片23の下面が、押圧力伝達板14上面を押し下げ、それにより底板13外周縁部と筒壁10内周下端部との嵌合が外れ、底板部材６が第１の液収納部Ａ内に落下するとともに、第２の液収納部Ｂ内に収納した液剤が第１の液収納部Ａ内に落下して両者が混合する。」（段落【００１２】）
（オ）「次いで、全体を良く振って混合液を攪拌する等した後、カバー25を外し、容器体胴部８を圧搾することにより、櫛歯22をあてがった毛髪の目的の部分に混合液を塗布する。」（段落【００１３】）
（カ）図１には、二液収納容器２と櫛形吐出具３とが図示されている。また、図１には、櫛形吐出具３の各櫛歯22内に、櫛歯22の前端部から後端部にかけて、櫛歯22の前端部上下側面に注出口を開口した通液路ａを形成した点、櫛歯22の集合体を着脱自在に外嵌して覆うカバー25を設けた点が図示されている。
（キ）図３には、ヘアカラー容器の使用時の形態が図示されている。
　なお、図１からみて、櫛形吐出具３は、「注出筒21」「頂板20」「装着筒19」「押圧片23」「シール筒24」からなる「キャップ本体」と、注出筒21の前面より突設した多数の櫛歯22を有する「櫛歯体」とから構成されているものと認められる。また、図３からみて、「容器体４」と「筒状部材５」とで全体として「容器体」を構成しているということができる。さらに、上記（イ）に摘記したように、櫛形吐出具３は「シール筒24」を有しているので、装着筒19を筒状部材５の筒壁10外周上端部に螺着した時に、装着筒19は筒壁10内周面上端部に嵌合されて「密に組付く」ものと認められる。
　
　これらの記載事項及び図示内容を総合すると、引用例１には、
「圧搾可能な筒状胴部８を有する容器体４上端に液密嵌合した筒状部材５の筒壁10上端部に密に組付く装着筒19を設けたキャップ本体と、前記キャップ本体の注出筒21の前面より突設した多数の櫛歯22の各櫛歯22内に、前記櫛歯22の前端部から後端部にかけて、前記櫛歯22の前端部上下側面に注出口を開口した通液路ａを形成した櫛歯体と、前記全櫛歯22の集合体を着脱自在に外嵌して覆うカバー25と、から成る櫛形吐出具３。」（以下、「引用発明１」という。）
が記載されていると認めることができる。
　
　また、同じく原査定の拒絶の理由に引用した特開平１０−１３７０２９号公報（以下、「引用例２」という。）には、図面とともに次の事項が記載されている。
（サ）「スクイズ性を有する容器体(17)の口筒部(19)に密に組付く組付き筒(3)の上端に、内鍔状の頂壁(4)を介して前後に偏平な起立筒(7)を起立連設し、該起立筒(7)の上端を塞ぐ頂板(8)に、左右方向に直列にかつ等間隔に上下に貫通した複数の組付け孔(9)を開設し、さらに前記頂板(8)の左右両端から枠櫛歯片(10)を立設したキャップ本体(2)と、前記頂板(8)上に載置するベース板(12)の下面に、前記各組付け孔(9)に個々に強固に密嵌入する嵌着筒片(14)を垂下設すると共に、該各嵌着筒片(14)の直上の前記ベース板(12)上面箇所に櫛歯片(13)を起立設し、該櫛歯片(13)と嵌着筒片(14)との各組合せ部分内に、前記櫛歯片(13)の上端部から嵌着筒片(14)の下端面にかけて、前記櫛歯片(13)の上端部左右側面に注出口(16)を開口した注出路(15)を形成した櫛歯体(11)と、から成る櫛付きキャップ。」（特許請求の範囲請求項１）
（シ）「本発明は、容器体に収納された白髪染め液やヘアマニキュア等の内容液を、容器体から頭髪に直接塗布すべく構成した櫛付きキャップに関するものである。」（段落【０００１】）
　
　これらの記載事項を総合すると、引用例２には、
「スクイズ性を有する容器体(17)の口筒部(19)に密に組付く組付き筒(3)の上端に、内鍔状の頂壁(4)を介して前後に偏平な起立筒(7)を立設し、該起立筒(7)の上端を塞ぐ頂板(8)に、上下に貫通した複数の組付け孔(9)を、左右方向に沿って等間隔に直列配置し、さらに前記頂板(8)の左右両端に枠櫛歯片(10)を立設したキャップ本体(2)と、前記頂板(8)上に載置するベース板(12)の下面に、前記各組付け孔(9)に個々に強固に密嵌入する嵌着筒片(14)を垂下設すると共に、該各嵌着筒片(14)の直上となる前記ベース板(12)上面箇所に櫛歯片(13)を起立設し、該櫛歯片(13)と嵌着筒片(14)との各組合せ部分内に、前記櫛歯片(13)の上端部から嵌着筒片(14)の下端面にかけて、前記櫛歯片(13)の上端部左右側面に注出口(16)を開口した注出路(15)を形成した櫛歯体(11)と、から成る櫛付きキャップ。」（以下、「引用発明２」という。）
が記載されていると認めることができる。
　
３．対比
　本願発明と引用発明１とを対比すると、後者における「圧搾可能な筒状胴部８を有する容器体４上端に液密嵌合した筒状部材５の筒壁10上端部」は、その構造または機能からみて、前者における「スクイズ性を有する容器体(24)の口筒部(26)」に相当し、以下同様に、「装着筒19」が「組付き筒(3)」に、「キャップ本体」が「キャップ本体(2)」に、「櫛歯22」が「櫛歯片(13)，嵌着筒片(14)」に、「通液路ａ」が「注出路(15)」に、「櫛歯体」が「櫛歯体(11)」に、「カバー25」が「シールキャップ体(17)」に、「櫛形吐出具３」が「櫛付きキャップ」に、それぞれ相当する。また、後者における「前記櫛歯22の前端部から後端部にかけて」と前者における「前記櫛歯片(13)の上端部から嵌着筒片(14)の下端面にかけて」とは、どちらも「前記櫛歯片(13)の先端部から基部にかけて」という意味で共通しており、また、後者における「前記櫛歯22の前端部上下側面」と後者における「前記櫛歯片(13)の上端部左右側面」とは、どちらも「前記櫛歯片(13)の先端部側面」という意味で共通している。
　してみると、両者は、
「スクイズ性を有する容器体の口筒部に密に組付く組付き筒を設けたキャップ本体と、キャップ本体に設けた多数の櫛歯片(13)の各櫛歯片(13)内に、前記櫛歯片(13)の先端部から基部にかけて、前記櫛歯片(13)の先端部側面に注出口(16)を開口した注出路(15)を形成した櫛歯体(11)と、前記全櫛歯片(13)の集合体を着脱自在に外嵌して覆うシールキャップ体(17)と、から成る櫛付きキャップ。」
である点で一致し、次の点で相違する。
　相違点１：キャップ本体(2)に関して、本願発明においては、組付き筒(3)の上端に、内鍔状の頂壁(4)を介して前後に偏平な起立筒(7)を立設し、該起立筒(7)の上端を塞ぐ頂板(8)に、上下に貫通した複数の組付け孔(9)を、左右方向に沿って等間隔に直列配置し、さらに前記頂板(8)の左右両端に枠櫛歯片(10)を立設したものであるのに対して、引用発明１においては、そのような構成を備えていない点。
　相違点２：櫛歯体(11)に関して、本願発明においては、頂板(8)上に載置するベース板(12)の下面に、各組付け孔(9)に個々に強固に密嵌入する嵌着筒片(14)を垂下設すると共に、該各嵌着筒片(14)の直上となる前記ベース板(12)上面箇所に櫛歯片(13)を起立設し、該櫛歯片(13)と嵌着筒片(14)との各組合せ部分内に、前記櫛歯片(13)の上端部から嵌着筒片(14)の下端面にかけて、前記櫛歯片(13)の上端部左右側面に注出口(16)を開口した注出路(15)を形成したものであるのに対して、引用発明１においては、そのような構成を備えていない点。
　相違点３：シールキャップ体(17)に関して、本願発明においては、内部上端部に、各櫛歯片(13)の上端部が摺接して嵌入する間隙を形成して多数の挟持壁片(21)を左右に縦列配置して設け、該各挟持壁片(21)の前記櫛歯片(13)に対向する側の面に、注出口(16)に係合して密閉する栓突片(22)を突設したものであるのに対して、引用発明１においては、そのような構成を備えていない点。
　
４．当審の判断
　上記各相違点について検討する。
（１）相違点１，２について
　引用発明２は、本願発明の用語を用いて表現すると、「スクイズ性を有する容器体(24)の口筒部(26)に密に組付く組付き筒(3)の上端に、内鍔状の頂壁(4)を介して前後に偏平な起立筒(7)を立設し、該起立筒(7)の上端を塞ぐ頂板(8)に、上下に貫通した複数の組付け孔(9)を、左右方向に沿って等間隔に直列配置し、さらに前記頂板(8)の左右両端に枠櫛歯片(10)を立設したキャップ本体(2)と、前記頂板(8)上に載置するベース板(12)の下面に、前記各組付け孔(9)に個々に強固に密嵌入する嵌着筒片(14)を垂下設すると共に、該各嵌着筒片(14)の直上となる前記ベース板(12)上面箇所に櫛歯片(13)を起立設し、該櫛歯片(13)と嵌着筒片(14)との各組合せ部分内に、前記櫛歯片(13)の上端部から嵌着筒片(14)の下端面にかけて、前記櫛歯片(13)の上端部左右側面に注出口(16)を開口した注出路(15)を形成した櫛歯体(11)と、から成る櫛付きキャップ。」と言い換えることができる。即ち、引用発明２の「キャップ本体(2)」及び「櫛歯体(11)」は、それぞれ本願発明の「キャップ本体(2)」及び「櫛歯体(11)」と全く同一の構成を有するものである。
　そして、引用発明１と引用発明２とは、前記「２．（オ）」及び「２．（シ）」に摘記したように、どちらも容器体内に収納された液を頭髪に直接塗布するための櫛付きキャップに関するものであって、スクイズ性を有する容器体の口筒部に密に組付く組付き筒を設けたキャップ本体と、キャップ本体に設けた多数の櫛歯片の各櫛歯片内に、前記櫛歯片の先端部から基部にかけて、前記櫛歯片の先端部側面に注出口を開口した注出路を形成した櫛歯体とを有する点で構成が共通しているから、引用発明１のキャップ本体及び櫛歯体を引用発明２のキャップ本体及び櫛歯体にそれぞれ置き換えることは、当業者が容易に想到できたことである。
　したがって、上記相違点１，２に係る本願発明の構成は、当業者が容易に想到できたものであるということができる。
（２）相違点３について
　引用例１には、各櫛歯片を個別に密閉する構造についての明確な記載はないが、前記「２．（ウ）」に摘記した「カバー25を設けることにより、混合した二剤を充分攪拌するために容器を振った際に、通液路ａ先端からの液の漏出を防止できる。」という記載からみて、シールキャップ体は、注出口からの液の漏出を防止するという機能を有していることが示されているということができる。
　一方、全櫛歯片の集合体を着脱自在に外嵌して覆うシールキャップ体を備えた櫛付きキャップにおいて、各櫛歯片からの液の漏出を防止するために、各注出口を個別に密閉する構造とすることは、例えば、実願平３−５２７１８号（実開平５−１４０２号）のＣＤ−ＲＯＭ、実願昭４６−１５６３９号（実開昭４７−１３１８４号）のマイクロフィルムなどに見られるように、本願の出願前において周知の技術であったということができる。そして、これらのものは、いずれも、各注出口を個別に密閉する構造であるがゆえに、シールキャップ体の内部上端部に、各櫛歯片の上端部が摺接して嵌入する間隙を形成して多数の挟持壁片を縦列配置して設け、該各挟持壁片の前記櫛歯片に対向する側の面で密閉する構造になっているものと認められる。
　また、注出口に係合して密閉する栓突片を突設することは、注出口を密閉するための手段として、従来周知の技術手段にすぎない（例えば実願昭６１−６５２７７号（実開昭６２−１７７６５６号）のマイクロフィルム、特開平７−３１５４０７号公報、実願平４−７２１６１号（実開平６−３００６１号）のＣＤ−ＲＯＭを参照）、。
　そうすると、引用発明１において、注出口からの液の漏出をより一層確実に防止できるようにするために、シールキャップ体に、各櫛歯片の注出口を個別に密閉するという上記周知技術を適用することは、当業者が容易に想到できたことであるということができ、その際に、注出口に係合して密閉する栓突片を設けるという、従来周知の技術手段を採用することは、当業者にとって単なる設計的事項にすぎないというべきである。
　したがって、上記相違点３に係る本願発明の構成も、当業者が容易に想到できたものであるということができる。
　
　そして、本願発明の効果も、引用発明１、２及び周知技術から当業者が予測できる範囲内のものである。
　
５．むすび
　以上のとおり、本願発明は、引用発明１、２及び周知技術に基いて、当業者が容易に発明をすることができたものであるから、特許法第２９条第２項の規定により特許を受けることができない。
　よって、結論のとおり審決する。